【事件の表示】
　平成１０年特許願第２６９８４２号「画像記録装置」拒絶査定不服審判事件〔平成１２年　４月　４日出願公開、特開２０００−　９４７８９〕について、次のとおり審決する。
【結　論】
　本件審判の請求は、成り立たない。
【理　由】
第１　手続の経緯・本願発明の認定
　本願は、平成１０年９月２４日の出願であって、原審において平成１４年７月１０日付け及び同年９月３０日付けで明細書・図面についての補正がされたが、同年１１月１８日付けで拒絶の査定がされたため、これを不服として同年１２月２６日付けで本件審判請求がされるとともに、平成１５年１月２７日付けで明細書についての補正がされた。
　当審においてこれを審理した結果、平成１５年１月２７日付けの手続補正を却下するとともに、新たに拒絶の理由を通知したところ、請求人は平成１６年８月１１日付けで意見書及び手続補正書を提出した。
　したがって、本願の請求項１に係る発明（以下「本願発明」という。）は、平成１４年７月１０日付け、同年９月３０日付け及び平成１６年８月１１日付けで補正された明細書及び図面の記載からみて、その特許請求の範囲【請求項１】に記載された事項によって特定される次のとおりのものと認める。
「画像記録条件について、設定された内容をチェックするためのチェック画面に予め設定済みのコピー枚数、コピーモード、コピー濃度、倍率、ペーパーサイズ及びとじしろ設定が表示され、表示された項目を指定することによって、指定した前記項目に関する設定画面が開き、該設定画面を操作して指定した前記項目に関する画像記録条件を設定することを可能にした画像記録装置であって、試しの画像を形成するシングルステップ機能を有し、該シングルステップ機能の実行後に、画像記録条件について設定された内容をチェックするためのチェック画面に表示された項目を指定することによって、指定した前記項目に関する設定画面が開き、該設定画面を操作して指定した前記項目に関する画像記録条件の変更を行うことを可能にしたことを特徴とする画像記録装置。」
　
第２　当審の判断
　本審決では、「発明を特定するための事項」という意味で「構成」との用語を用いる。
１．引用刊行物の記載事項
　当審における拒絶の理由に引用した特開平４−１９１７５５号公報（以下「引用例１」という。）には、以下のア〜ソの記載が図示とともにある。
　ア．「［産業上の利用分野］　発明は複写機、プリンタ、ファクシミリ等の記録装置に関し、特にそのユーザーインタフェースに関する。」（２頁左上欄４〜７行）
　イ．「記録装置の有する上記各種機能としては、例えば、コピー濃度、ソーターの種類、両面複写か片面複写か、カラーの色、とじしろ、わく消しの状態、ページ連写、ＯＨＰ合紙、合成複写等の多くの機能がある。そして、ＬＣＤに表示された前記機能のうちから設定すべき機能を何らかの設定手段を用いて設定すると、例えば第１２図に示すように、例えば“コピー濃度”機能について“自動”的にコピー濃度調整するという機能実行条件が合わせて表示される。さらに、パラメータのある機能についてはポップアップ画面でパラメータを設定できる。」（２頁左上欄１８行〜右上欄９行）
　ウ．「ユーザーは自分の設定した機能が何であるかについて記録処理操作前に確認することが必要となる。そのため、コントロールパネル上の設定確認ボタンを設けて、ＬＣＤ上に現在設定されている機能と設定されていない機能とが識別できるような表示をすることが行われている。」（２頁右上欄１８行〜左下欄３行）
　エ．「従来の装置では・・・上記設定確認中に設定機能を変更することは出来なかった。そのため、設定確認モードを解除して、機能設定の変更可能なモードから新たな機能設定の変更操作を行うしかなかった。」（２頁左下欄５〜１５行）
　オ．「コンソールパネル４は、第４図に示すように、同パネル４上に配置された用紙サイズ，倍率，複写枚数などの設定／入力，スタート，ストップ，割込み，設定確認などの操作を行うためのハードキーとしてのボタン３５と液晶ディスプレイ（以下、ＬＣＤという。）３６上に表示される機能に対応して表示部分に設けられたタッチキーとしてのボタン（図示せず。）を備えている。」（４頁左上欄９〜１６行）
　カ．「コンソールパネル４上のハードキー３５およびタッチパネルキー６１の各操作ボタンの説明をする。コンソールパネル４には第４図に示すようにスタート、ストップ、クリア、テンキー、オールクリア、トレイ選択、固定倍率、任意倍率、割り込み、ちょっと小さめ、設定確認および予熱の各ハードタンが設けらている。」（７頁右上欄６〜１２行）
　キ．「ＬＣＤ３６に表示される各種機能に対応したボタン表示位置を押すことにより、その機能に対応したタッチパネルキー６１が作動する。また、タッチパネルキー６１は主に使用頻度を基準に基本、応用、専門ボタンに分けられる。」（７頁左下欄１０〜１５行）
　ク．「パラメータのある機能については機能ボタンを押すと・・・ポップアップウインドを開く（ステップ１０３）。基本、応用、専門ボタンのいずれかを押し（ステップ１０４）、必要があればパラメータの指定を行う。」（７頁左下欄１９行〜右下欄５行）
　ケ．「基本ボタン２０１が押されると第１２図に示す基本画面が表示される。基本画面にはコピー濃度調整、ソーター、両面およびユーザー設定（仕様設定で設定なしを指示している時は表示しない。）の各機能に対応したボタンが設けられている。」（８頁左上欄２０行〜右上欄５行）
　コ．「応用ボタン２０２が押されると第１３図に示す応用画面が表示される。応用画面には示す表示ボタンの内、単色カラー、とじしろ、わく消し、ページ連写、ＯＨＰ合紙、応用原稿送りの各機能に対応したボタンが設けられている。」（８頁右上欄１４〜１８行）
　サ．「専門ボタン２０３が押されると第１４図に示す専門画面が表示される。専門画面には合成、寸法変倍、ジョブメモリおよび仕様設定の各機能に対応したボタンがそれぞれ設けられている。」（８頁左下欄４〜７行）
　シ．「両面ボタン２０９は片面原稿、両面原稿から両面コピーを取りたい時、または両面原稿から片面コピーを取りたい時に押すボタンである。選択できる機能は片面原稿→両面コピー、両面原稿→片面コピーおよび両面原稿→両面コピーの三つうちの一つである。」（８頁右下欄６〜１１行）
　ス．「設定確認ボタン（第４図）３５１を押すと設定確認ランプ３７１を点灯し、それまでに設定された機能を例えば第１５図に示すようにボタン表示する。」（９頁右上欄８〜１０行）
　セ．「設定確認のための表示中に再度設定確認ボタン３５１が押された場合は、設定確認ランプ３７１を消灯し、基本画面に表示を変更する。また、表示されているＬＣＤ３６上の表示ボタンを押した場合は、次のように二つの動作に分かれる。」（９頁右上欄２０行〜左下欄５行）
　ソ．「設定確認の手順を第１７図のフローチャートで説明する。設定確認ボタン３５１が押されたら複写モードのボタン表示がＬＣＤ画面３６上になされる（ステップ２）。次いで、同画面３６上の表示ボタンを押すとパラメータを持っていない機能の場合は機能が解除される。このとき、ボタン表示を削除することもできる（ステップ５）。パラメータのある機能の場合は表示ボタンが押されるとポップアップウインドウが表示される（ステップ６）。そして、パラメータボタンが押されるとパラメータの変更ができる（ステップ８）。」（９頁右下欄１３行〜１０頁左上欄４行）
　
２．引用例１記載の発明の認定
　記載ア〜ソを含む引用例１の全記載及び図示によれば、引用例１には次のような発明が記載されているものと認定できる。
「用紙サイズ，倍率，複写枚数などの設定／入力，スタート，ストップ，割込み，設定確認などの操作を行うためのハードキーとしてのボタンと、液晶ディスプレイ上に表示される機能に対応して表示部分に設けられたタッチキーとしてのボタンをコンソールパネルに備えた記録装置であって、
　液晶ディスプレイ上に表示される機能には、両面印刷設定機能及びとじしろ設定機能が含まれ、
　設定確認ボタンを押すと、それまでにタッチキーとしてのボタンにより設定された機能を前記液晶ディスプレイに表示し、その表示中に液晶ディスプレイの表示画面上の表示ボタンを押すと、パラメータのある機能の場合はポップアップウインドウが表示され、パラメータボタンが押されるとパラメータの変更ができるように構成した記録装置。」（以下「引用発明１」という。）
　
３．本願発明と引用発明１との一致点及び相違点の認定
　引用発明１において、設定確認ボタンを押した際に液晶ディスプレイに表示される画面は、本願発明の「設定された内容をチェックするためのチェック画面」に相当し、表示される内容が予め設定済みの画像記録条件である点で本願発明と引用発明１に相違はない。
　引用発明１において、設定機能表示中に表示画面上の表示ボタンを押すと、ポップアップウインドウが表示され、パラメータボタンが押されるとパラメータの変更ができることと、本願発明において「表示された項目を指定することによって、指定した前記項目に関する設定画面が開き、該設定画面を操作して指定した前記項目に関する画像記録条件を設定することを可能にした」ことに相違はない。
　したがって、本願発明と引用発明１とは、
「画像記録条件について、設定された内容をチェックするためのチェック画面に予め設定済みの項目及びその設定内容が表示され、表示された項目を指定することによって、指定した前記項目に関する設定画面が開き、該設定画面を操作して指定した前記項目に関する画像記録条件を設定することを可能にした画像記録装置。」である点で一致し、以下の各点で相違する。
〈相違点１〉チェック画面に設定内容が表示される画像記録条件について、本願発明が「コピー枚数、コピーモード、コピー濃度、倍率、ペーパーサイズ及びとじしろ設定」としているのに対し、引用発明１ではコピーモード（引用発明１の両面設定がこれに相当する。）及びとじしろ設定は含まれているものの、コピー枚数、コピー濃度及び倍率は「ハードキーとしてのボタン」により設定されるものであって、チェック画面に設定内容が表示される画像記録条件には含まれていない点。
〈相違点２〉本願発明が「試しの画像を形成するシングルステップ機能を有し、該シングルステップ機能の実行後に、画像記録条件について設定された内容をチェックするためのチェック画面に表示された項目を指定することによって、指定した前記項目に関する設定画面が開き、該設定画面を操作して指定した前記項目に関する画像記録条件の変更を行うことを可能にした」のに対し、引用発明１がシングルステップ機能を有するとはいえない点。
　
４．相違点についての判断及び本願発明の進歩性の判断
（１）相違点１について
　引用発明１では、コピー枚数、コピー濃度及び倍率は「ハードキーとしてのボタン」により設定されることは前述のとおりであるが、そのためにはコンソールパネル内に、液晶ディスプレイ以外にも多数のボタンを配置せざるをない（引用例１の第４図参照）。
　ところで、本願出願当時、数字入力も含めすべての入力をタッチキーにより行うことは銀行ＡＴＭ機等において広く採用されている周知の技術であり、この周知技術を引用発明１に適用できない理由はなく、適用することは当業者にとって容易といわなければならない。
　そして、コピー枚数、コピー濃度及び倍率をコピーモード及びとじしろ設定同様にタッチキーにより設定するのであれば、その設定確認を行うためにチェック画面の表示項目に含めることは極めて自然である。
　したがって、相違点１に係る本願発明の構成は当業者が容易に想到できた構成である。
　
（２）相違点２について
　当審における拒絶の理由に引用した特開平８−２４８８３１号公報（以下「引用例２」という。）には、「複数枚のコピーを実行する前にコピーの出来上がり具合を確認したい場合には、操作部２００で倍率、濃度等を設定した後、試しコピーキー２４２を押す。・・・画像の確認が容易にできる。・・・更にコピー条件を変えてみる場合には、操作部でコピー条件を変更し再度試しコピーキー２４２を押せば良い。」（段落【００３０】）との記載があり、「試しコピーキー２４２を押す」ということは本願発明でいう「試しの画像を形成するシングルステップ機能」を有することと異ならない。しかも、この「試しコピーキー２４２」は、試しコピー後に「更にコピー条件を変えてみる場合には、操作部でコピー条件を変更」する上で有用であることも上記記載から明らかである。
　そうであれば、引用発明１において各種設定を行った後、設定内容による画像を確認できるように、引用例２記載の発明同様「試しの画像を形成するシングルステップ機能を有」する構成とすることは当業者にとって容易である。
　また、引用例２の上記記載によれば、試しコピーキーを押して画像の確認を行った後、コピー条件（本願発明の「画像記録条件」に相当）を変更できるのであり、引用発明１においては、「設定された内容をチェックするためのチェック画面に予め設定済みの項目及びその設定内容が表示され、表示された項目を指定することによって、指定した前記項目に関する設定画面が開き、該設定画面を操作して指定した前記項目に関する画像記録条件を設定」できるのだから、本願発明の「シングルステップ機能の実行後に、画像記録条件について設定された内容をチェックするためのチェック画面に表示された項目を指定することによって、指定した前記項目に関する設定画面が開き、該設定画面を操作して指定した前記項目に関する画像記録条件の変更を行うことを可能にした」との構成に至ることは、設計事項にすぎない。
　したがって、相違点２に係る本願発明の構成は、引用例２記載の発明に基づいて当業者が容易に想到できた構成である。
　
（３）本願発明の進歩性の判断
　相違点１及び相違点２に係る本願発明の構成を採用することはいずれも当業者にとって想到容易であり、これら相違点に係る構成を採用したことによる格別の作用効果を認めることもできない。
　したがって、本願発明は引用発明１及び引用例２記載の発明並びに周知技術に基づいて当業者が容易に発明できたものであるから、特許法２９条２項の規定により特許を受けることができない。
　
第３　むすび
　本願発明が特許を受けることができないから、本願は拒絶を免れない。
　よって、結論のとおり審決する。